(57)【要約】【課題】複数のバッテリーを安定して一度に充電できる充電装置を提供すること。【解決手段】充電器本体２は、バッテリーと、その充電電力の供給端子と、充電器側接続部と、互いに異なる極性に着磁させる第１の充電器側磁性体及び第２の充電器側磁性体とを備える。充電台３は、バッテリーを充電可能な充電台側接続部と、第２の充電器側磁性体と同じ極性に着磁させる第１の充電台側磁性体と、第１の充電器側磁性体と同じ極性に着磁させる第２の充電台側磁性体とを備える。第１の充電器側磁性体及び第２の充電器側磁性体の夫々は、充電器本体２が表面２Ｆを上向きとする姿勢で充電台３に載置されたときに、第１の充電台側磁性体及び第２の充電台側磁性体の夫々と対となり得る位置に配置され、充電器本体２が表面２Ｆを下向きとする姿勢で充電台３に載置されたときに、第２の充電台側磁性体及び第１の充電台側磁性体の夫々と対となり得る位置に配置される。【選択図】図１
2018074617.tif 000002
【特許請求の範囲】
【請求項１】
盤状の充電器本体と、複数の前記充電器本体を積層状態で載置可能な充電台とを備え、
前記充電器本体は、
バッテリーと、
前記バッテリーに充電された電力が供給される端子と、
前記バッテリーと電気的に接続可能な充電器側接続部と、
互いに異なる極性に着磁させる第１の充電器側磁性体及び第２の充電器側磁性体とを備え、
前記充電台は、
前記充電器側接続部を介して前記バッテリーを充電可能な充電台側接続部と、
前記第２の充電器側磁性体と同じ極性に着磁させる第１の充電台側磁性体と、
前記第１の充電器側磁性体と同じ極性に着磁させる第２の充電台側磁性体とを備え、
前記充電器側接続部は、
前記充電器本体が表裏となる平盤面を上向き又は下向きとする姿勢で前記充電台に載置されたときに、
前記充電台側接続部と対となり得る位置に配置されており、
前記第１の充電器側磁性体及び前記第２の充電器側磁性体の夫々は、
前記充電器本体が表側の平盤面を上向きとする姿勢で前記充電台に載置されたときに、
前記充電器側接続部を前記充電台側接続部に案内可能なように、前記第１の充電台側磁性体及び前記第２の充電台側磁性体の夫々と対となり得る位置に配置され、
前記充電器本体が表側の平盤面を下向きとする姿勢で前記充電台に載置されたときに、
前記充電器側接続部を前記充電台側接続部から引き離すことが可能なように、前記第２の充電台側磁性体及び前記第１の充電台側磁性体の夫々と対となり得る位置に配置される
ことを特徴とする充電装置。
【請求項２】
請求項１に記載された充電装置において、
前記端子として、
前記充電器本体の側面に外部機器への電力供給に供される外部ケーブルのコネクタとの挿入及び抜去を可能にする挿し込み口が設けられ、
前記コネクタ及び前記挿し込み口の各形状は、USB（Universal Serial Bus） Type-Cの規格によって仕様として定められる
ことを特徴とする充電装置。
【発明の詳細な説明】
【技術分野】
【０００１】
本開示は、充電装置に関する。
【背景技術】
【０００２】
近年、スマートフォン、携帯電話、タブレット型コンピュータ及びＰＤＡ（Personal Digital Assistant）等の携帯端末のユーザは増え続けている。そのユーザは、電話だけでなく、サイトを閲覧したり、アプリケーション、ＳＮＳ（Social Networking Service）及びゲームを使用したりするケースも増加している。このような携帯端末には、充電式のバッテリーを搭載したものがある。
【０００３】
従来のバッテリーの充電作業は、例えば、携帯端末を充電台に載置することで行われる。具体的な充電方法には、携帯端末側に一対の端子を設け、充電台側にも携帯端末の各端子に対応する位置に端子を設け、携帯端末側と充電台側の各端子を接触させることにより、単体の充電式電池を充電するものがある（例えば、特許文献１参照）。
【先行技術文献】
【特許文献】
【０００４】
【特許文献１】特開平５−１３０１８３号公報
【発明の概要】
【発明が解決しようとする課題】
【０００５】
上記のように、近年、携帯端末のユーザは増え続けており、バッテリーの消耗も増えてきている。このような背景のもと、ホテル、オフィス及び商業施設等の外出先で携帯端末のバッテリーが切れてしまったことがあるユーザも数多く存在し、外出時のバッテリー切れに不安を感じるユーザは多い。従って、外出先で充電済みバッテリーの貸し出しを受けることで、バッテリーを持ち運びながら携帯端末を充電したい、というユーザのニーズが極めて強くなってきている。
【０００６】
これに対し、従来の充電作業は、上記のように、単体のバッテリーに対して行われる。そのため、ホテル、オフィス及び商業施設等の外出先に滞在する多くのユーザに貸し出せるだけのバッテリーを一つ一つ充電しなければならない。その結果、複数のバッテリーを安定して一度に充電することは難しい。
【０００７】
本開示の目的は、上記問題に着目してなされたもので、複数のバッテリーを安定して一度に充電できる充電装置を提供することを目的とする。
【課題を解決するための手段】
【０００８】
本開示の充電装置は、盤状の充電器本体と、複数の充電器本体を積層状態で載置可能な充電台とを備える。充電器本体は、バッテリーと、バッテリーに充電された電力が供給される端子と、バッテリーと電気的に接続可能な充電器側接続部と、互いに異なる極性に着磁させる第１の充電器側磁性体及び第２の充電器側磁性体とを備える。充電台は、充電器側接続部を介してバッテリーを充電可能な充電台側接続部と、第２の充電器側磁性体と同じ極性に着磁させる第１の充電台側磁性体と、第１の充電器側磁性体と同じ極性に着磁させる第２の充電台側磁性体とを備える。充電器側接続部は、充電器本体が表裏となる平盤面を上向き又は下向きとする姿勢で充電台に載置されたときに、充電台側接続部と対となり得る位置に配置されている。第１の充電器側磁性体及び第２の充電器側磁性体の夫々は、充電器本体が表側の平盤面を上向きとする姿勢で充電台に載置されたときに、充電器側接続部を充電台側接続部に案内可能なように、第１の充電台側磁性体及び第２の充電台側磁性体の夫々と対となり得る位置に配置され、充電器本体が表側の平盤面を下向きとする姿勢で充電台に載置されたときに、充電器側接続部を充電台側接続部から引き離すことが可能なように、第２の充電台側磁性体及び第１の充電台側磁性体の夫々と対となり得る位置に配置される。
【発明の効果】
【０００９】
この結果、複数のバッテリーを安定して一度に充電できる充電装置を提供することができうる。
【図面の簡単な説明】
【００１０】
【図１】実施例１における充電装置の正面側を示す斜視図である。
【図２】実施例１における充電器本体の上面図である。
【図３】実施例１における充電器本体の側面図である。
【図４】実施例１における充電器本体と外部機器との接続状態を示す模式図である。
【図５】実施例１における充電器本体に設けた雌型コネクタと、その雌型コネクタと挿入及び抜去が可能な雄型コネクタの詳細を示す斜視図である。
【図６】実施例１における充電台の正面側を示す斜視図であって、台座から充電器本体を取り外した状態を示す図である。
【図７】実施例１における充電台の背面側を示す斜視図である。
【図８】実施例１における充電器本体の内部構造を示す斜視図であって、下部筐体から上部筐体を取り外した状態を示す図である。
【図９】実施例１における充電台の内部構造を示す斜視図であって、側壁から立桟を取り外した状態を示す図である。
【発明を実施するための形態】
【００１１】
以下、本開示の充電装置を実現する最良の形態を、図面に示す実施例１に基づいて説明する。
【実施例１】
【００１２】
まず、構成を説明する。
実施例１における充電装置は、外部機器（例えば、スマートフォン等）の充電装置に適用したものである。以下、実施例１における充電装置の構成を、「充電装置の全体構成」と、「充電器本体の構成」と、「充電器本体と外部機器との接続構成」と、「充電台の構成」と、「充電器本体と充電台との位置決め構成」に分けて説明する。
【００１３】
［充電装置の全体構成］
図１は実施例１における充電装置の正面側を示す斜視図である。以下、図１に基づいて、充電装置の全体構成を説明する。
【００１４】
充電装置１は、盤状の充電器本体２と、この充電器本体２を脱着自在な充電台３と、を備える。充電装置１は、複数の充電器本体２が充電台３の台座３０の上方に積層されて構成される。その台座３０は、最大で１０個の充電器本体２を同時に載置可能である。充電器本体２及び充電台３の詳細な構成については後述する。
【００１５】
［充電器本体の構成］
図２は、実施例１における充電器本体の上面図である。図３は、実施例１における充電器本体の背面図である。以下、図２及び図３に基づいて、充電器本体の構成を説明する。
【００１６】
充電器本体２は、図１〜図３に示すように、表側の平盤面としての表面２Ｆを有する。充電器本体２は、図３に示すように、裏側の平盤面としての裏面２Ｂを有する。充電器本体２は、図２及び図３に示すように、筐体２０（例えば、プラスチック）を有する。その筐体２０は、図２に示すように、上面視円形状を有する。その筐体２０は、図３に示すように、上部筐体２０Ｕと下部筐体２０Ｄとの外周部を相互に合わせて組み立てられる。上部筐体２０Ｕと下部筐体２０Ｄは、その内部に図８の収納空間を有する。その収納空間には、図８のバッテリーＢ（例えば、リチウムポリマー電池）、バッテリーＢの端子電圧の値を検出可能な不図示の電圧センサ、図８の第１の充電器側磁性体２０ＭＬ（例えば、永久磁石）及び第２の充電器側磁性体２０ＭＲ（例えば、永久磁石）等が装備される。なお、図３においては、第１の充電器側磁性体２０ＭＬ及び第２の充電器側磁性体２０ＭＲの外形線（仮想線）を、筐体２０から透視した破線によって表している。充電器側磁性体２０ＭＬ及び充電器側磁性体２０ＭＲの詳細な構成については、「充電器本体と充電台との位置決め構成」で後述する。
【００１７】
その筐体２０の側面には、図３に示すように、バッテリーＢに充電された電力が供給される端子として、一対の雌型コネクタ２１（挿し込み口）、充電器側接続部２２及び残量表示部２３が設けられる。
【００１８】
一対の雌型コネクタ２１は、図３に示すように、筐体２０の周方向（図２の白抜きで示す矢印Ａ１）に沿って所定の間隔を隔てて充電器側接続部２２を挟むように配置される。雌型コネクタ２１の詳細な構成については、「充電器本体と外部機器との接続構成」で後述する。
【００１９】
充電器側接続部２２（例えば、Ｃｕ（銅））は、充電台３の充電台側接続部３２（図６参照）と電気的に接触する。充電器側接続部２２は、図３に示すように、接地端子２２Ａと、その接地端子２２Ａの電位（例えば、ＤＣ０Ｖ）よりも高い電位（例えば、ＤＣ５Ｖ）の電源端子２２Ｂとを備える。接地端子２２Ａと電源端子２２Ｂは、筐体２０の周方向（図２の白抜きで示す矢印Ａ１）に沿って所定の間隔を隔てて配置される。接地端子２２Ａと電源端子２２Ｂの夫々は、接地端子３２Ａと電源端子３２Ｂの夫々と接触する。その接触により、充電台側接続部３２を介して充電器側接続部２２からバッテリーＢへの電力供給が開始される。接地端子２２Ａと電源端子２２Ｂの夫々は、図１に示すように、充電器本体２が表面２Ｆを上向きとする姿勢で充電台３に載置されたときに、充電台側接続部３２の接地端子３２Ａと電源端子３２Ｂの夫々と対となり得る位置に配置される。一方、接地端子２２Ａと電源端子２２Ｂの夫々は、充電器本体２が表面２Ｆを下向きとする姿勢で充電台３に載置されたときに、充電台側接続部３２の電源端子３２Ｂと接地端子３２Ａの夫々と対となり得る位置に配置される。
【００２０】
残量表示部２３は、図３に示すように、筐体２０の周方向（図２の白抜きで示す矢印Ａ１）に沿って所定の間隔を隔てて配置された４つの発光部（例えば、ＬＥＤ）を有する。残量表示部２３は、各発光部の発光又は点滅によって、充電器本体２に搭載されたバッテリーＢの残量をユーザに通知する。残量表示部２３は、電圧センサにて検出された端子電圧の値が、予め定められたバッテリチェック値以下であるか否かを検出する。残量表示部２３は、その端子電圧の値が予め定められたバッテリチェック値以下であることを検出すると、各発光部を発光又は点滅させる。その発光又は点滅は、後述するスリット部３１Ｓ（図７参照）を通して充電台３の背面側からでも視認可能である。
【００２１】
「充電器本体と外部機器との接続構成」
図４は、実施例１における充電器本体２と外部機器との接続状態を示す模式図である。図５は、実施例１における充電器本体２に設けた雌型コネクタ２１と、その雌型コネクタ２１と挿入及び抜去が可能な雄型コネクタ４４の詳細を示す斜視図である。以下、図４及び図５に基づいて、充電器本体２と外部機器との接続構成を説明する。
【００２２】
充電器本体２は、図４に示すように、ケーブル４を介してスマートフォン５に接続される。そのケーブル４では、図４に示すように、充電器本体２とスマートフォン５との間でデータ信号が伝達されたり、充電器本体２からスマートフォン５への電力供給が行われたりする。ケーブル４の途中には、図４に示すように、ハブ４０が装備される。ハブ４０の内部には、充電器本体２側のUSB（登録商標）端子を、iPhone（登録商標）-dockやLightning（登録商標）の仕様に従った充電端子に変換する不図示の変換アダプタが装備される。また、ハブ４０の装備により、ケーブル４の外部機器側では、コネクタの数を３つに増設できる構造となっている。その増設された３つのコネクタ４１〜４３の夫々は、例えば、iPhone-dock、Lightning及びUSBのインターフェースに従った方式で通信を行うことができる。コネクタ４１は、図４に示すように、スマートフォン５に設けた不図示のコネクタとの間で、図４の矢印Ａ２で示す方向に挿入又は抜去が可能に構成される。
【００２３】
ケーブル４の充電器本体２側には、図４に示すように、雄型コネクタ４４が装備される。その雄型コネクタ４４は、図４に示すように、充電器本体２の雌型コネクタ２１との間で、図４の矢印Ａ３で示す方向に挿入又は抜去が可能に構成される。
【００２４】
雄型コネクタ４４及び雌型コネクタ２１は、図５に示すように、USB（Universal Serial Bus） Type-Cの規格によって仕様として定められたリバーシブル構造を有する。即ち、雄型コネクタ４４及び雌型コネクタ２１のいずれか一方は、その長軸方向に１８０°回転させた姿勢でも、他方と嵌合可能である。雄型コネクタ４４は、図５に示すように、長軸方向に沿って延びる筒形状を有している。雄型コネクタ４４の先端部４４Ｓは、図５に示すように、中間部４４Ｍと比べて外周が縮径するように肉薄状に形成される。その雄型コネクタ４４は、図５に示すように、目視等により雌型コネクタ２１との位置合わせが行われた後に、雌型コネクタ２１に対して嵌合される。
【００２５】
その雄型コネクタ４４の先端部４４Ｓには、図５に示すように、充電器本体２とスマートフォン５との間でデータ信号の伝達や、充電器本体２からスマートフォン５への電力供給に供される端子４４Ｐが内蔵される。雌型コネクタ２１も、図５に示すように、雄型コネクタ４４と同様の端子２１Ｐが内蔵される。
【００２６】
「充電台の構成」
図６は、実施例１における充電台の正面側を示す斜視図であって、台座から充電器本体を取り外した状態を示す図である。図７は、実施例１における充電台の背面側を示す斜視図である。以下、図６及び図７に基づいて、充電台の構成を説明する。
【００２７】
充電台３は、図６に示すように、積層された充電器本体２が載置される平面視略矩形状の台座３０と、積層された充電器本体２の側面の一部分を覆うように取り囲む側壁３１と、を有する。
【００２８】
側壁３１の正面側には、図６に示すように、台座３０に載置可能な充電器本体２の個数と同数（本実施例では１０個）の充電台側接続部３２（例えば、Ｃｕ（銅））が上下方向に所定の間隔を隔てて設けられる。充電台側接続部３２は、図６に示すように、接地端子３２Ａと、その接地端子３２Ａの電位（例えば、ＤＣ０Ｖ）よりも高い電位（例えば、ＤＣ５Ｖ）の電源端子３２Ｂとを備える。接地端子３２Ａと電源端子３２Ｂの夫々は、接地端子２２Ａ（図３参照）と電源端子２２Ｂ（図３参照）の夫々と接触する。その接触により、充電台側接続部３２を介して充電器側接続部２２（図３参照）からバッテリーＢ（図８参照）への電力供給が開始される。接地端子３２Ａと電源端子３２Ｂの夫々は、図１に示すように、充電器本体２が表面２Ｆを上向きとする姿勢で充電台３に載置されたときに、充電器側接続部２２の接地端子２２Ａと電源端子２２Ｂの夫々と対となり得る位置に配置される。一方、接地端子３２Ａと電源端子３２Ｂの夫々は、充電器本体２が表面２Ｆを下向きとする姿勢で充電台３に載置されたときに、充電器側接続部２２の電源端子２２Ｂと接地端子２２Ａの夫々と対となり得る位置に配置される。
【００２９】
側壁３１の背面側には、図７に示すように、上下方向に延びる３本の立桟３３Ｌ，３３Ｍ，３３Ｒが筐体２０の周方向（図７の白抜きで示す矢印Ａ１）に沿って所定の間隔を隔てて配置される。立桟３３Ｍの背面には、図７に示すように、台座３０に載置された充電器本体２の個数「１」〜「１０」を示す標識３４が刻印される。
【００３０】
台座３０の背面側には、図７に示すように、USBポート３５、差し込み口３６、ＯＮ／ＯＦＦスイッチ３７及びストラップホルダー３８が配置される。USBポート３５は、不図示の外部装置（例えば図４に示したスマートフォン５等）との間でデータ信号の伝達や電源供給に供される。差し込み口３６は、充電台３に対する電力供給に用いる不図示のＡＣケーブルの差し込み口となる。ＯＮ／ＯＦＦスイッチ３７は、充電台３をＯＮ／ＯＦＦさせる操作に用いる。ストラップホルダー３８は、ＡＣケーブルと充電台３とを不図示のストラップで繋ぐことのできる部位となる。
【００３１】
側壁３１には、図７に示すように、正面側から背面側に貫通し、筐体２０の周方向に沿って延びる複数のスリット部３１Ｓが形成される。各スリット部３１Ｓは、図７及び図８に示すように、上下方向に所定の間隔を隔てて配置される。各スリット部３１Ｓは、充電器側接続部２２と充電台側接続部３２との接触部に発生する熱を放熱する。
【００３２】
「充電器本体と充電台との位置決め構成」
図８は、実施例１における充電器本体２の内部構造を示す斜視図であって、下部筐体２０Ｄから上部筐体２０Ｕを取り外した状態を示す図である。図９は、実施例１における充電台３の内部構造を示す斜視図であって、側壁３１から立桟３３Ｌ，３３Ｒを取り外した状態を示す図である。以下、図８及び図９に基づいて、充電器本体２と充電台３との位置決め構成を説明する。
【００３３】
第１の充電器側磁性体２０ＭＬ（例えば、永久磁石）及び第２の充電器側磁性体２０ＭＲ（例えば、永久磁石）は、図８に示すように、一対の雌型コネクタ２１を挟むようにして下部筐体２０Ｄの内部に装備される。第１の充電器側磁性体２０ＭＬ及び第２の充電器側磁性体２０ＭＲは、互いに異なる極性に着磁させる。具体的に、第１の充電器側磁性体２０ＭＬはＮ極に着磁させ、第２の充電器側磁性体２０ＭＲはＳ極に着磁させる。
【００３４】
第１の充電台側磁性体３３ＭＬ（例えば、永久磁石）は、図９に示すように、立桟３３Ｌ（図７参照）の内部に装備される。第１の充電台側磁性体３３ＭＬは、図９に示すように、台座３０に載置可能な充電器本体２の個数と同数（本実施例では１０個）が設けられる。第１の充電台側磁性体３３ＭＬは、第２の充電器側磁性体２０ＭＲと同じＳ極に着磁させる。第２の充電台側磁性体３３ＭＲ（例えば、永久磁石）は、図９に示すように、立桟３３Ｒ（図７参照）の内部に装備される。第２の充電台側磁性体３３ＭＲは、図９に示すように、台座３０に載置可能な充電器本体２の個数と同数（本実施例では１０個）が設けられる。第２の充電台側磁性体３３ＭＲは、第１の充電器側磁性体２０ＭＲと同じＮ極に着磁させる。
【００３５】
第１の充電器側磁性体２０ＭＬ及び第２の充電器側磁性体２０ＭＲの夫々は、図１に示すように、充電器本体２が表面２Ｆを上向きとする姿勢で充電台３に載置されたときに、充電器側接続部２２の接地端子２２Ａと電源端子２２Ｂの夫々を、充電台側接続部３２の接地端子３２Ａと電源端子３２Ｂの夫々に案内可能なように、第１の充電台側磁性体３３ＭＬ及び第２の充電台側磁性体３３ＭＲの夫々と対となり得る位置に配置される。一方、第１の充電器側磁性体２０ＭＬ及び第２の充電器側磁性体２０ＭＲの夫々は、充電器本体２が表面２Ｆを下向きとする姿勢で充電台３に載置されたときに、充電器側接続部２２の接地端子２２Ａと電源端子２２Ｂの夫々を、充電台側接続部３２から引き離すことが可能なように、第２の充電台側磁性体３３ＭＲ及び第１の充電台側磁性体３３ＭＬの夫々と対となり得る位置に配置される。
【００３６】
実施例１では、第１の充電器側磁性体２０ＭＬ及び第２の充電器側磁性体２０ＭＲの夫々は、充電器本体２が表面２Ｆを上向きとする姿勢で充電台３に載置されたときに、充電器側接続部２２を充電台側接続部３２に案内可能なように、第１の充電台側磁性体３３ＭＬ及び第２の充電台側磁性体３３ＭＲの夫々と対となり得る位置に配置される。
【００３７】
即ち、表面２Ｆが上向きとなる姿勢で充電器本体２が充電台３に載置されたときに、Ｎ極に着磁させた第１の充電器側磁性体２０ＭＬは、Ｓ極に着磁させた第１の充電台側磁性体３３ＭＬと対となり得る位置に配置され、Ｓ極に着磁させた第２の充電器側磁性体２０ＭＲは、Ｎ極に着磁させた第２の充電台側磁性体３３ＭＲと対となり得る位置に配置される。
【００３８】
このため、第１の充電器側磁性体２０ＭＬと第１の充電台側磁性体３３ＭＬとの間及び第２の充電器側磁性体２０ＭＲと第２の充電台側磁性体３３ＭＲとの間には、互いに吸引する向きに磁気吸引力が発生する。これにより、接地端子２２Ａと電源端子２２Ｂの夫々は、充電台側接続部３２の接地端子３２Ａと電源端子３２Ｂの夫々と接触する方向に案内される。つまり、同じ電位を有する端子同士の安定した接触を実現できる。その結果、複数の充電器本体２に装備されたバッテリーを安定して一度に充電できる。
【００３９】
実施例１では、第１の充電器側磁性体２０ＭＬ及び第２の充電器側磁性体２０ＭＲの夫々は、充電器本体２が表面２Ｆを下向きとする姿勢で充電台３に載置されたときに、充電器側接続部２２を充電台側接続部３２から引き離すことが可能なように、第２の充電台側磁性体３３ＭＲ及び第１の充電台側磁性体３３ＭＬと対となり得る位置に配置される。
【００４０】
即ち、表面２Ｆが下向きとなる姿勢で充電器本体２が充電台３に載置されたときに、Ｎ極に着磁させた第１の充電器側磁性体２０ＭＬは、Ｎ極に着磁させた第２の充電台側磁性体３３ＭＲと対となり得る位置に配置され、Ｓ極に着磁させた第２の充電器側磁性体２０ＭＲは、Ｓ極に着磁させた第１の充電台側磁性体３３ＭＬと対となり得る位置に配置される。
【００４１】
このため、第１の充電器側磁性体２０ＭＬと第２の充電台側磁性体３３ＭＲとの間及び第２の充電器側磁性体２０ＭＲと第１の充電台側磁性体３３ＭＬとの間には、互いに反発する向きに磁気反発力が発生する。これにより、接地端子２２Ａと電源端子２２Ｂの夫々は、充電台側接続部３２の接地端子３２Ａと電源端子３２Ｂの夫々から引き離される方向に案内される。従って、異なる電位を有する端子同士の誤接触を防止できる。
【００４２】
実施例１では、充電器本体２の側面には、USB Type-Cの規格に準拠した雄型コネクタ４４との挿入及び抜去を可能とする雌型コネクタ２１が設けられる。即ち、雄型コネクタ４４及び雌型コネクタ２１のいずれか一方は、その長軸方向に１８０°回転させた姿勢でも、他方と嵌合可能である。
【００４３】
このため、雄型コネクタ４４及び雌型コネクタ２１のいずれか一方は、上下がどちらを向いた姿勢でも他方と嵌合できる。これにより、上下方向の間違いで雄型コネクタ４４及び雌型コネクタ２１のいずれか一方を他方に嵌合できないといったことがなくなる。従って、ユーザの使い勝手を向上できる。加えて、USB Type-Cの規格に準拠した雄型コネクタ４４及び雌型コネクタ２１は例えば１万回の挿入及び抜去に耐え得るように設計されるので、ケーブル４の挿入及び抜去を頻繁に行うスマートフォンとの接続において特に有効活用できる。
【００４４】
実施例１では、残量表示部２３は、バッテリーの端子電圧の値がバッテリチェック値以下であることを検出すると、各発光部を発光又は点滅させる。その発光又は点滅は、スリット部３１Ｓを通して充電台３の背面側からでも視認可能である。従って、充電装置１のユーザは、スリット部３１Ｓを通じて、バッテリーの端子電圧の状態を容易に把握できる。
【００４５】
実施例１では、充電台３の側壁３１に、正面側から背面側に貫通し、筐体２０の周方向に沿って延びる複数のスリット部３１Ｓが形成される。即ち、各スリット部３１Ｓは、上下方向に所定の間隔を隔てて配置される。また、各スリット部３１Ｓは、充電器側接続部２２と充電台側接続部３２との接触部に発生する熱を放熱する。
【００４６】
このため、各スリット部３１Ｓを介して側壁３１の正面側から背面側又は背面側から正面側に空気を流し込むことができる。これにより、流れ込んだ空気を、充電器側接続部２２と充電台側接続部３２との接触部の周辺を通過させた後に、充電装置１の外部に向けて流すことができる。つまり、このような空気流の確保によって、充電器側接続部２２と充電台側接続部３２との接触部と、空気との間の熱交換を促進できる。従って、充電器側接続部２２と充電台側接続部３２との接触部周辺を効果的に冷却することができる。
【００４７】
実施例１では、充電器側磁性体及び充電台側磁性体の組は、第１の充電器側磁性体２０ＭＬと第１の充電台側磁性体３３ＭＬとからなる組と、第２の充電器側磁性体２０ＭＲと第２の充電台側磁性体３３ＭＲとからなる組の二組が設けられる。
【００４８】
即ち、二組の充電器側磁性体及び充電台側磁性体を用いて、磁気吸引力や磁気反発力が発生される。このため、一組の充電器側磁性体及び充電台側磁性体を用いて磁気吸引力や磁気反発力を発生される場合と比べてより強い磁気吸引力や磁気反発力を発生させることができる。従って、充電器側接続部２２と充電台側接続部３２の双方を、互いに接触する方向又は引き離される方向により確実に案内できる。
【００４９】
以上、本開示の充電装置を実施例１に基づいて説明してきたが、具体的な構成については、これらの実施例に限られるものではなく、特許請求の範囲の各請求項に係る発明の要旨を逸脱しない限り、設計の変更や追加等は許容される。
【００５０】
実施例１では、充電器本体２は上面視円形の筐体２０を有する例を示した。しかし、これに限られない。例えば、充電器本体２は上面視楕円形の筐体２０を有していても良い。要するに、充電器本体２の筐体２０と充電台３の側壁３１との接触部が上面視で曲面形状を有していれば良い。
【００５１】
実施例１では、筐体２０の内部に装備したバッテリーＢをリチウムポリマー電池とする例を示した。しかし、これに限られない。例えば、バッテリーＢが、ニッケル水素電池やニッケルカドミウム電池であっても良い。要するに、バッテリーＢは、充電が可能な電池であれば良い。
【００５２】
実施例１では、筐体２０を、プラスチックとするする例を示した。しかし、これに限られない。例えば、筐体２０ポリフェニレンエーテル樹脂（ＰＰＥ）等であっても良い。要するに、筐体２０は、充電器側接続部２２と電気的に絶縁できる材料であれば良い。
【００５３】
実施例１では、充電器側接続部２２及び充電台側接続部３２をＣｕ（銅）とする例を示した。しかし、これに限られない。例えば、充電器側接続部２２及び充電台側接続部３２がＡｕ（金）、Ａｌ（アルミニウム）、Ｐｔ（白金）、Ｐｄ（パラジウム）、Ａｇ（銀）等の導電体材料で構成されても良い。要するに、充電器側接続部２２及び充電台側接続部３２は、充電台３からバッテリーへの電力供給を実現できれば良い。
【００５４】
実施例１では、残量表示部２３をＬＥＤで構成する例を示した。しかし、これに限られない。例えば、残量表示部２３を液晶表示器（Liquid Crystal Display）で構成しても良い。要するに、残量表示部２３は、筐体２０の内部に装備したバッテリーＢの残量を通知できれば良い。
【００５５】
実施例１では、充電器本体２に積層された充電器本体２の個数を示す標識３４を立桟３３Ｍの背面に刻印する例を示した。しかし、これに限られない。例えば、シールを立桟３３Ｍの背面に貼り付けることで標識３４を形成しても良い。要するに、標識３４は、充電台３の台座３０に積層された充電器本体２の残個数を通知できれば良い。
【００５６】
実施例１では、第１の充電器側磁性体２０ＭＬをＮ極に着磁させ、第２の充電器側磁性体２０ＭＲをＳ極に着磁させると共に、第１の充電台側磁性体３３ＭＬをＳ極に着磁させ、第２の充電台側磁性体３３ＭＲをＮ極に着磁させる例を示した。しかし、これに限られない。第１の充電器側磁性体２０ＭＬをＳ極に着磁させ、第２の充電器側磁性体２０ＭＲをＮ極に着磁させると共に、第１の充電台側磁性体３３ＭＬをＮ極に着磁させ、第２の充電台側磁性体３３ＭＲをＳ極に着磁させても良い。要するに、第１の充電器側磁性体２０ＭＬ及び第２の充電器側磁性体２０ＭＲと、第１の充電台側磁性体３３ＭＬ及び第２の充電台側磁性体３３ＭＲとは、同じ電位を有する接地端子同士や電源端子同士を磁気吸引力によって互いに接触する方向に案内したり、異なる電位を有する接地端子と電源端子とを誤接触させないように磁気反発力によって互いに引き離す方向に案内したりできれば良い。
【００５７】
実施例１では、第１の充電器側磁性体２０ＭＬ、第２の充電器側磁性体２０ＭＲ、第１の充電台側磁性体３３ＭＬ及び第２の充電台側磁性体３３ＭＲを永久磁石とする例を示した。しかし、これに限られない。例えば、第１の充電器側磁性体２０ＭＬ、第２の充電器側磁性体２０ＭＲ、第１の充電台側磁性体３３ＭＬ及び第２の充電台側磁性体３３ＭＲを、導線を密接させて円形に巻いたコイルで構成し、このコイルへの通電によって発生する磁界を用いて、磁気吸引力又は磁気反発力を発生させても良い。
【符号の説明】
【００５８】
１  充電装置
２  充電器本体
２Ｆ  表面（表側の平盤面）
２Ｂ  裏面（裏側の平盤面）
３  充電台
４  ケーブル
５  スマートフォン（外部機器）
２０ＭＬ  第１の充電器側磁性体
２０ＭＲ  第２の充電器側磁性体
２１  雌型コネクタ（挿し込み口）
２２  充電器側接続部
２２Ａ        接地端子
２２Ｂ  電源端子
２３  残量表示部
３１Ｓ        スリット部
３２  充電台側接続部
３２Ａ        接地端子
３２Ｂ        電源端子
３３ＭＬ  第１の充電台側磁性体
３３ＭＲ  第２の充電台側磁性体
４４  雄型コネクタ（コネクタ）
Ｂ  バッテリー
【図１】
2018074617.tif 000003
【図２】
2018074617.tif 000004
【図３】
2018074617.tif 000005
【図４】
2018074617.tif 000006
【図５】
2018074617.tif 000007
【図６】
2018074617.tif 000008
【図７】
2018074617.tif 000009
【図８】
2018074617.tif 000010
【図９】
2018074617.tif 000011